(57)【要約】【課題】  保守作業の省力化を可能とする表示素子障害検知装置を提供する。【解決手段】  表示情報と障害情報とを入力する入力部１１と、各表示素子の重要度を定義した重要度情報を記憶する重要度情報記憶部１２と、画像アドレスを特定し、特定した画像アドレスの重要度を重要度情報に基づいて判別する重要度判別部１３と、重要度に応じてアラームを出力するアラーム出力部１４と、を少なくとも備えている。【選択図】図１
2007101998.tif 000002
【特許請求の範囲】
【請求項１】
複数の表示素子をマトリックス状に配した表示領域に任意の情報を表示する表示装置に所望の画像を表示させるための表示情報と、前記表示装置で検出した前記表示素子の障害情報と、を入力する入力部と、
前記表示情報と前記障害情報とから、障害が発生したことによって表示不能となった前記所望の画像の部位を特定し、前記表示情報の重要度を定義する重要度情報から前記特定した画像の部位の重要度を判別する重要度判別部と、
該重要度判別部で判別した重要度に応じてアラームを出力するアラーム出力部と、
を備えることを特徴とする表示素子障害検知装置。
【請求項２】
前記重要度情報は、前記表示領域に文字、英数字または記号の少なくとも１つを表示する文字表示領域を複数の領域に分割し、該分割した領域毎に重要度が定義されている、
ことを特徴とする請求項１に記載の表示素子障害検知装置。
【請求項３】
前記重要情報は、前記表示領域に表示される階調に応じて重要度が定義されている、
ことを特徴とする請求項１に記載の表示素子障害検知装置。
【請求項４】
前記重要度情報は、所定の領域で検出する前記表示素子の障害の数に応じて重要度が定義されている、
ことを特徴とする請求項１に記載の表示素子障害検知装置。
【請求項５】
前記重要度情報は、所定の間隔に前記表示素子が点灯する回数に応じて重要度が定義されている、
ことを特徴とする請求項１に記載の表示素子障害検知装置。
【請求項６】
前記アラーム出力部は、前記重要度判別部で判別した重要度が低い場合には、アラームを出力することなく、前記障害情報を記憶部に記憶する、
ことを特徴とする請求項１に記載の表示素子障害検知装置。
【請求項７】
複数の表示素子をマトリックス状に配した表示領域に任意の情報を表示する表示装置に所望の画像を表示させるための表示情報と、前記表示装置で検出した前記表示素子の障害情報と、を入力し、
前記表示情報と前記障害情報とから、障害が発生したことによって表示不能となった前記所望の画像の部位を特定し、前記表示情報の重要度を定義する重要度情報から前記特定した画像の部位の重要度を判別し、
該判別した重要度に応じてアラームを出力する、
ことを情報処理装置に実行させる表示素子障害検知方法。
【発明の詳細な説明】
【技術分野】
【０００１】
本発明は、複数の表示素子をマトリックス状に配した表示領域に任意の情報を表示する表示装置において、表示素子に発生する障害を検出する表示素子障害検知装置に関する。
【背景技術】
【０００２】
大型の表示装置、例えば、複数の表示素子をマトリックス状に配した表示領域に文字や図形といった情報を表示させる表示装置の表示素子に障害が発生した場合、単にハードウェアで検出する手法を用いるのが一般的である。
【０００３】
図７は、表示素子の障害を検出する障害検出回路の例を示している。
【０００４】
図７に示す障害検出回路７０は、表示素子であるＬＥＤ７１のランプ不点灯を検出する回路を示している。通常時、ＩＣ回路７２に入力される表示データはトランジスタ７３（ベース）に入力され、表示データのＨｉｇｈ／Ｌｏｗに応じてトランジスタ７３のＯＮ／ＯＦＦが切り替わることによってＬＥＤ７１が点滅する。
【０００５】
一方、ＩＣ回路７４のように、何らかの要因によってＬＥＤ７１とトランジスタ７３のコレクタとの間が切断されてＯＰＥＮ状態となると、トランジスタ７３の出力電流（エミッタ電流）が０となるのでエラーが検出され、エラー信号が出力される。
【０００６】
しかし、上述の手法では、緊急な対処を必要としない表示素子や映像（表示）品質に関与しない表示素子に障害が発生した場合であっても、エラーを通知してしまうという問題があった。そのため、不要な保守作業を行なわなければならないという問題があった。
【０００７】
特許文献１には、検出した表示装置の異常が表示に支障を与える重大な異常の場合には監視元に通報し、重大な異常以外の異常の場合には履歴として記憶する表示装置が開示されている。
【特許文献１】特開平０６−１１８８９８号公報
【発明の開示】
【発明が解決しようとする課題】
【０００８】
本発明は、上述した問題に鑑みてなされたものであり、その解決しようとする課題は、表示内容の重要度を判別してアラームを通知することにより、保守作業の省力化を可能とする表示素子障害検知装置を提供することである。
【課題を解決するための手段】
【０００９】
上記課題を解決するために、本発明に係る表示素子障害検知装置は、複数の表示素子をマトリックス状に配した表示領域に任意の情報を表示する表示装置に所望の画像を表示させるための表示情報と、前記表示装置で検出した前記表示素子の障害情報と、を入力する入力部と、前記表示情報と前記障害情報とから、障害が発生したことによって表示不能となった前記所望の画像の部位を特定し、前記表示情報の重要度を定義する重要度情報から前記特定した画像の部位の重要度を判別する重要度判別部と、該重要度判別部で判別した重要度に応じてアラームを出力するアラーム出力部と、を備える。
【００１０】
本発明によると、重要度判別部が、障害によって表示不能となった所望の画像の部位の重要度、すなわち、表示素子に発生した障害の重要度を判断して、アラーム出力部がその重要度に応じてアラームを出力するので、その重要度に応じて緊急の保守作業で対応すべきか、定期保守作業で対応すべきかを判断して保守作業を行なうことが可能となる。
【００１１】
その結果、不必要に緊急の保守作業を行なうことを防止することができ、保守作業の省力化が可能となる。
【００１２】
また、本発明は、複数の表示素子をマトリックス状に配した表示領域に任意の情報を表示する表示装置に所望の画像を表示させるための表示情報と、前記表示装置で検出した前記表示素子の障害情報と、を入力し、前記表示情報と前記障害情報とから、障害が発生したことによって表示不能となった前記所望の画像の部位を特定し、前記表示情報の重要度を定義する重要度情報から前記特定した画像の部位の重要度を判別し、該判別した重要度に応じてアラームを出力する、ことを情報処理装置に実行させる表示素子障害検知方法であってもよい。
【発明の効果】
【００１３】
以上のように、本発明によると、表示内容の重要度を判別してアラームを通知することにより、保守作業の省力化を可能とする表示素子障害検知装置を提供することが可能となる。
【発明を実施するための最良の形態】
【００１４】
以下、本発明の実施形態について図１から図６に基づいて説明する。
【００１５】
図１は、本発明の原理を説明する図である。
【００１６】
図１に示す表示素子障害検知装置は、表示装置に表示させる表示情報とこの表示情報を表示した時の表示装置における表示素子の障害情報とを入力する入力部１１と、各表示素子の重要度を定義した重要度情報を記憶する重要度情報記憶部１２と、表示情報と障害情報とから障害が発生した素子（以下、「障害素子」という）であるために表示等の制御が不能となった画像の部位（以下、「画像アドレス」という）を特定し、特定した画像アドレスの重要度を重要度情報に基づいて判別する重要度判別部１３と、重要度に応じてアラームを出力するアラーム出力部１４と、を少なくとも備えている。
【００１７】
重要度判別部１３は、入力部１１に入力された障害情報と表示情報と画像アドレスを特定する。また、重要度判別部１３は、重要度情報記憶部１２から重要度情報を参照する。そして、重要度情報に基づいて、特定した画像アドレス（すなわち、障害素子）の重要度を判別する。
【００１８】
重要度が高いと判断した場合には、重要度判別部１３は、アラーム出力部１４にアラーム通知を行なわせる。
【００１９】
図２は、本発明の実施例に係る表示素子障害検知装置を用いた表示システムの例を示す図である。
【００２０】
図２に示す表示システム２０は、表示データを生成する表示出力装置２１と、複数の表示素子をマトリックス状に配した表示領域に表示データを表示する表示装置２２と、画像アドレスを特定して重要度を判別する表示素子障害検知装置のエラー判別装置２３と、エラー判別装置２３からのアラーム信号を監視するアラーム監視装置２４と、備える。
【００２１】
また、表示装置２２は、複数の表示素子（例えば、ＬＥＤ（Ｌｉｇｈｔ  Ｅｍｉｔｔｉｎｇ  Ｄｉｏｄｅ））をマトリックス状に配した表示部２５と、表示出力装置２１で生成された表示データを表示部２５に出力して表示させるとともに、各表示素子から生成されるエラー信号を検出してエラー情報をエラー判別装置２３に出力するユニット制御部２６と、を備える。
【００２２】
表示出力装置２１は、表示させたい図形や文字等の情報（以下、「画像」という）を表示部２５で表示可能な表示データに変換してエラー判別装置２３及びユニット制御部２６に送信する。
【００２３】
ユニット制御部２６は、表示出力装置２１から送られた表示データを表示部２５の各表示素子に送信して表示部２５に図形や文字等の情報を表示させる。また、各表示素子で生成されるエラー信号を検出してエラー情報をエラー判別装置２３に出力する。
【００２４】
エラー判別装置２３は、表示出力装置２１からの表示データとユニット制御部２６からのエラー信号とから障害素子を特定し、特定した表示素子の映像品質上の重要度を重要度情報に応じて決定する。そして、重要度に応じてアラーム監視装置２４に対してアラーム通知を行なうか否かを判別し、必要があればアラーム通知を行なう。
【００２５】
図３は、図２に示した表示システム２０の主要部を説明する図である。
【００２６】
表示部２５は、複数の表示素子をマトリックス状に配したユニットを複数組み合わせることによって構成されている。図３では、ユニットＡ０〜Ａ３、ユニットＢ０〜Ｂ３及びユニットＣ０〜Ｃ３の縦３×横４ユニットで構成されている例を示している。なお、Ａ０〜Ａ３、Ｂ０〜Ｂ３及びＣ０〜Ｃ３は、表示部２５におけるユニットの位置を表す「ユニットＩＤ」を示している。
【００２７】
ユニット３１は、複数の表示素子をマトリックス状に配することによって構成されている。図３には、縦３２（０ｘ１Ｆ）×横３２（０ｘ１Ｆ）の表示素子で構成された場合の例を示している。なお、ユニット３１における表示素子３２の位置は、（横方向画素ＩＤ）（縦方向画素ＩＤ）によって表される（以下、横方向画素ＩＤと縦方向画素ＩＤをまとめて「画素ＩＤ」という）。すなわち、図３に示す表示素子３２の位置は、００００〜１Ｆ１Ｆのいずれかで特定される。
【００２８】
表示素子３２は、ＬＥＤ３３とＬＥＤ３３の障害（例えば、断線）を検出する障害検出回路３４とで構成されている。表示データが入力されると、トランジスタ３５がＯＮ状態となるので、ＬＥＤ３３が導通して発光する。
【００２９】
また、例えば、ＬＥＤ３３とトランジスタ３５のコレクタとの間に断線が生じた場合には、出力電流（エミッタ電流）が０となるので、エラーが検出され、エラー信号が出力される。
【００３０】
ユニット制御部２６は、エラー信号を検出したユニット３１のユニットＩＤと画素ＩＤとから障害素子の素子アドレスを生成し、エラー信号とともにエラー判別装置２３に出力する。なお、素子アドレスは、画素ＩＤとユニットＩＤとを組み合わせたデータで構成され、（横方向画素ＩＤ）（縦方向画素ＩＤ）（ユニットＩＤ）となる。例えば、障害素子の画素ＩＤが１２１２、ユニットＩＤがＡ０の場合には、素子アドレスは、１２１２Ａ０となる。
【００３１】
エラー判別装置２３は、表示出力装置２１から送られる表示データとユニット制御部２６から送られる障害素子の素子アドレスとを照合し、重要度情報に基づいて当該障害素子の重要度を決定する。そして、重要度が高であればアラーム監視装置２４にアラーム通知を行なう。また、重要度が低の場合には、エラー信号をログとして記録する。
【００３２】
図４は、本実施例に係るエラー判別装置２３の構成例を示す図である。
【００３３】
図４に示すエラー判別装置２３は、周辺機器や各種ソフトウェアを実行する他に本実施例に係る表示素子の障害検知を実現するプログラムを実行するＣＰＵ４１と、プログラムを実行するために使用される揮発性のメモリ４２（例えばＲＡＭ）と、外部からのデータ入力手段である入力装置４３（例えばキーボードやマウス）と、データ等を表示する出力装置４４と、エラー判別装置２３が動作するために必要なプログラムやデータの他に本実施例に係る表示素子の障害検知を実現するプログラムを記録する外部記録装置４５と、メモリ４２や外部記録装置４５のデータを可搬記録媒体４７（例えばフロッピイディスクやＭＯディスク、ＣＤ−ＲやＤＶＤ−Ｒなど）に出力し、或は可搬記録媒体４７からプログラムやデータ等を読み出す媒体駆動装置４６と、ネットワーク４９に接続するネットワーク接続装置４８と、を有し、これらの装置がバス４０に接続されて相互にデータの受け渡しが行える構成となっている。
【００３４】
なお、媒体駆動装置４６、可搬記憶媒体４７及びネットワーク接続装置４８は、必要に応じて用いればよく必須のものではない。
【００３５】
以上に説明した構成において、図１に示した入力部１１は入力装置４３、アラーム出力部１４は出力装置４４によって実現される。また、重要度情報記憶部１２は、外部記憶装置４５によって実現される。また、重要度判別部１３は、ＣＰＵ４１がメモリ４２上に展開されたプログラム命令を実行することによって実現される。
【００３６】
図５は、本実施例に係る重要度情報を説明する図である。
【００３７】
図５に示すように本実施例に係る重要度情報は、文字表示領域５０について、重要度の高い領域を示す高重要度領域５１と、重要度の低い領域を示す低重要度領域５２と、を座標データ等で定義している。図５に示す高重要度領域５１は、数字の「２」が表示されている場合の例である。
【００３８】
なお、本実施例に係る文字表示領域５０は、あらかじめ決められた画像の位置にあり、ＸＹ座標によって定義される。ただし、決められた位置に文字表示領域５０を固定する趣旨ではなく、エラー判別装置２３が画像における文字表示領域５０を動的に認識させるようにしてもよい。
【００３９】
高重要度領域５１は、文字や英数字、記号など（以下、「文字等」という）を表示する領域である。また、低重要度領域５２は、背景や柄を表示する領域や動画のみを表示する領域（文字等以外の領域）である。
【００４０】
文字等を表示する領域を高重要度領域５１と定義したのは、一般に文字等の情報は、重要な情報である可能性が高く、注目度も高いからである。一方、背景や柄、動画といった文字等以外を表示する領域を低重要度領域５２と定義したのは、一般に注目度が低く、不良が目立たないからである。
【００４１】
したがって、本実施例に係るエラー判別装置２３は、表示データを表示部２５に表示して得られる像（以下、「映像」という）について、上述した文字表示領域５０と文字表示領域５０以外の領域とを判別し、更に、文字表示領域５０について、高重要度領域５１と低重要度領域５２とを判別した上で、障害素子がいずれの領域に属するかを判別して重要度を決定している。なお、本実施例では、文字表示領域５０以外の領域についても重要度は低いと判断している。
【００４２】
以上に説明したように、映像の文字表示領域５０について予め高重要度領域５１と低重要度領域５２とに定義づけることによって、高重要度領域５１の表示素子に障害が発生した場合には、アラーム監視装置２４にアラームを通知し、低重要度領域５２の表示素子に障害が発生した場合には、アラーム監視装置２４にアラームを通知することなくログに残すといった判断が可能となる。
【００４３】
以上に説明した重要度の例では、高重要度領域５１と低重要度領域５２の２通りに重要度を分けているが、これに限定する趣旨ではない。例えば、高重要度領域と中重要度領域と低重要度領域の３通りに重要度を分けてもよいし、４通り以上に重要度を分けてもよい。
【００４４】
図６は、本実施例に係るエラー判別装置２３の具体的な処理を示すフローチャートである。なお、以下に説明する処理は、ＣＰＵ４１がメモリ４２等に展開されたプログラム命令を実行することによって実現されるが、説明を簡単にするために処理の主体をエラー判別装置２３として記載する。
【００４５】
ステップＳ６０１において、エラー判別装置２３は、ユニット制御部２６からのエラー信号の受信を開始する。そして、ステップＳ６０２において、エラー信号受信の有無をチェックする。
【００４６】
例えば、ユニット制御部２６からのエラー信号を一定時間受信しなければ、エラー判別装置２３は、障害素子はないと判断して処理をステップＳ６０１に移行する。また、ユニット制御部２６からのエラー信号を受信すると、エラー判別装置２３は、障害素子があると判断して処理をステップＳ６０３に移行する。
【００４７】
ステップＳ６０３において、エラー判別装置２３は、ユニット制御部２６から障害素子の素子アドレスを取得し、処理をステップＳ６０４に移行する。
【００４８】
ステップＳ６０４において、エラー判別装置２３は、表示出力装置２１から送られた表示データから画像を復元するとともに、ステップＳ６０３で取得した素子アドレスと照会して画像アドレスを特定する。
【００４９】
画像アドレスを特定すると、エラー判別装置２３は、処理をステップＳ６０５に移行する。
【００５０】
ステップＳ６０５において、エラー判別装置２３は、ステップＳ６０４で特定した画像アドレスの重要度を判別する。
【００５１】
まず、エラー判別装置２３は、ステップＳ６０４で特定した画像アドレスが、文字表示領域内であるか否かを判別する。文字表示領域内でない場合には、重要度が「低」であると判断して処理をステップＳ６０６に移行する。文字表示領域内の場合には、処理をステップＳ６０５ａに移行する。
【００５２】
ステップＳ６０５ａにおいて、ステップＳ６０４で特定した画像アドレスが文字表示領域内である場合には、エラー判別装置２３は、メモリ４２又は外部記憶装置４５で実現される重要度情報記憶部１２の重要度情報を参照する。
【００５３】
ステップＳ６０５ｂにおいて、ステップＳ６０４で特定した画像アドレスが高重要度領域５１にある場合には、処理をステップＳ６０７に移行し、画像アドレスが低重要度領域５２にある場合には、処理をステップＳ６０６に移行する。
【００５４】
ステップＳ６０６において、エラー判別装置２３は、例えば、ステップＳ６０３で特定した障害素子の素子アドレス、画像アドレス、重要度及び障害素子を検出した日時等を外部記憶装置４５に記憶して処理をステップＳ６０１に移行する。
【００５５】
ステップＳ６０７において、エラー判別装置２３は、アラーム監視装置２４に対してアラーム通知を行ない、処理をステップＳ６０１に移行する。
【００５６】
その後、アラーム監視装置２４には、ステップＳ６０３で特定した障害素子の素子アドレス、画像アドレス等が表示され、オペレータ等に保守交換が必要な障害が発生したことを認識させることとなる。
【００５７】
以上に説明した処理によって、重要度の高い障害素子の場合のみアラーム通知が行なわれるので、映像品質に関わる保守作業以外の障害は定期保守によって行なうことが可能となる。その結果、保守作業の省力化を図ることができる。
【００５８】
また、重要度の低い障害素子に障害が発生した場合には、そのログを記憶するので、定期保守時に障害素子を的確に交換することができ、定期保守作業の省力化を図ることができる。
【００５９】
以上の説明において、本実施例に係る重要度情報には、図５に示した文字表示領域の定義（高重要度領域５１、低重要度領域５２）が使用されているが、これに限定されない。
【００６０】
例えば、重要度情報として（１）表示素子の輝度と点灯時間、（２）所定領域における障害素子の数、（３）表示素子の点灯頻度を使用してもよい。
【００６１】
（１）表示素子の輝度によって重要度を判別する場合
一般に、動画・Ｖｉｄｅｏ等には１６〜２３５階調の輝度が使用されて表現される。また、文字等の表示には、視認性を向上させるために明るい色（例えば、２４０階調以上の輝度）を使用して表現される。したがって、エラー判別装置２３に入力される表示データの階調を監視することで障害素子の重要度を判別することができる。
【００６２】
例えば、重要度判別の閾値を２４０階調と設定する。そして、図６に示したステップＳ６０１において、エラー判別装置２３が、表示データから各表示素子の所定の時間（例えば、１０秒間）毎の輝度の平均値を計測し、重要度情報として重要度情報記憶部１２に記録する。
【００６３】
さらに、Ｓ６０５において、エラー判別装置２３が、重要度情報を参照し、ステップＳ６０４で特定した画像アドレスにおける輝度の平均値が例えば２４０階調未満の場合には、重要度が低いと判別して処理をステップＳ６０６に移行し、２４０階調以上であれば重要度が高いと判別して処理をステップＳ６０７に移行すればよい。
【００６４】
（２）所定領域における障害素子の数によって重要度を判別する場合
障害素子の発生箇所が隣接または所定領域内に集中した場合、映像品質を損なうことになる。そこで、複数の異なる障害素子が発生し、発生箇所が隣接または所定領域内に集中した場合に、その障害素子は重要度が高いと判断できる。
【００６５】
したがって、例えば、図６に示したステップＳ６０４において、エラー判別装置２３が、画像アドレスを特定するとともに、特定した画像アドレスを重要度情報として重要度情報記憶部１２に記録する。
【００６６】
さらに、ステップＳ６０５において、エラー判別装置２３が、ステップＳ６０４で特定した画像アドレスを中心とした所定の領域に他の画像アドレスが重要度情報として記録されているか否かを検索する。所定の数以上の画像アドレスが重要度情報として記録されていた場合に、重要度が高いと判断して処理をステップＳ６０７に移行すればよい。
【００６７】
例えば、画像アドレス（Ｘ，Ｙ）に対する所定の領域を（Ｘ±３，Ｙ±３）の範囲と設定する。そして、ステップＳ６０７において、この領域に３つ以上の画像アドレスが重要度情報として記録されていた場合に、重要度が高いと判断すればよい。
【００６８】
（３）表示素子の点灯頻度によって重要度を判別する場合
一定時間内に表示素子が点灯する点灯回数を監視し、検出された障害素子の点灯回数が、所定の閾値以上の場合に障害素子の重要度が高いと判断してもよい。
【００６９】
例えば、重要度判別の閾値を１００と設定する。そして、図６に示したステップＳ６０１において、エラー判別装置２３が、表示データから各表示素子の所定の時間（例えば、１分）毎の点灯回数を計測し、重要度情報として重要度情報記憶部１２に記録する。
【００７０】
さらに、ステップＳ６０５において、ステップＳ６０４で特定した画像アドレスにおける点灯回数が１００（閾値）未満の場合には、重要度が低いと判別して処理をステップＳ６０６に移行し、１００（閾値）以上の場合には、重要度が高いと判別して処理をステップＳ６０７に移行すればよい。
【図面の簡単な説明】
【００７１】
【図１】本発明の原理を説明する図である。
【図２】本発明の実施例に係る表示素子障害検知装置を用いた表示システムの例を示す図である。
【図３】図２に示した表示システムの主要部を説明する図である。
【図４】本実施例に係るエラー判別装置の構成例を示す図である。
【図５】本実施例に係る重要度情報を説明する図である。
【図６】本実施例に係るエラー判別装置の具体的な処理を示すフローチャートである。
【図７】表示素子の障害を検出する障害検出回路の従来例を示している。
【符号の説明】
【００７２】
２０      表示システム
２１      表示出力装置
２２      表示装置
２３      エラー判別装置
２４      アラーム監視装置
２５      表示部
２６      ユニット制御部
５０      文字表示領域
５１      高重要度領域
５２      低重要度領域
【図１】
2007101998.tif 000003
【図２】
2007101998.tif 000004
【図４】
2007101998.tif 000005
【図３】
2007101998.tif 000006
【図５】
2007101998.tif 000007
【図６】
2007101998.tif 000008
【図７】
2007101998.tif 000009